(57)【要約】【課題】固定体に対して可動体を昇降可能としつつ安定的に支持することが可能であるとともに、加工工数及びコストを抑えて固定体に対して連結することが可能な昇降支柱の支持構造、及び、昇降支柱を提供する。【解決手段】支持構造２０は、什器の固定体から立設される略管状の外杆材１５と、外杆材１５に上下に進退可能に挿入されて上端部に固定体に対して昇降する什器の可動体が固定された内杆材１６とを有する昇降支柱を、固定体に固定するものであって、挿通孔２２ａを有する略管状で、挿通孔２２ａに内杆材１６が摺動可能に挿通されているとともに、外杆材１５の上端部の少なくとも一部が嵌合されている嵌合溝１７が形成された保持部２２と、保持部２２から外周側に突出して設けられ、固定体に連結された被固定部２３とを備える。【選択図】図５
2010104572.tif 000002
【特許請求の範囲】
【請求項１】
什器の固定体から立設される略管状の外杆材と、該外杆材に上下に進退可能に挿入されて上端部に前記固定体に対して昇降する前記什器の可動体が固定された内杆材とを有する昇降支柱を、前記固定体に固定する昇降支柱の支持構造であって、
挿通孔を有する略管状で、該挿通孔に前記内杆材が摺動可能に挿通されているとともに、前記外杆材の上端部の少なくとも一部が嵌合されている嵌合溝が形成された保持部と、
該保持部から外周側に突出して設けられ、前記固定体に連結された被固定部とを備えることを特徴とする昇降支柱の支持構造。
【請求項２】
請求項１に記載の昇降支柱の支持構造において、
前記保持部の前記挿通孔が断面非円形状に形成されており、該挿通孔には対応する断面形状で前記内杆材が摺動可能に挿通されていることを特徴とする昇降支柱の支持構造。
【請求項３】
請求項１または請求項２に記載の昇降支柱の支持構造において、
前記保持部は、略管状の本体部材と、
該本体部材よりも摩擦係数の小さな材質で形成され、前記内杆材の外周面に摺動可能に当接するスライダとを有することを特徴とする昇降支柱の支持構造。
【請求項４】
請求項１から請求項３のいずれか１項に記載の昇降支柱の支持構造において、
前記被固定部は、前記保持部の外周面から下方に向かうように突出した下向き片を有し、
該下向き片と前記保持部の外周面とにより前記嵌合溝が形成されていることを特徴とする昇降支柱の支持構造。
【請求項５】
請求項４に記載の昇降支柱の支持構造において、
前記被固定部が凹状に形成された凹状部を有するとともに、前記固定体の前記被固定部と固定される部分には、前記凹状部と対応する凸状に形成された凸状部が形成されており、
前記被固定部は、前記凹状部と前記凸状部とが嵌合して前記固定体に固定されていることを特徴とする昇降支柱の支持構造。
【請求項６】
請求項１から請求項５のいずれか１項に記載の昇降支柱の支持構造を備えることを特徴とする昇降支柱。
【請求項７】
請求項６に記載の昇降支柱において、
前記内杆材が略管状に形成されていて、
該内杆材の内部に、前記外杆材に対して前記内杆材を上下に進退させる昇降機構が内蔵されていることを特徴とする昇降支柱。
【発明の詳細な説明】
【技術分野】
【０００１】
本発明は、固定体に対して可動体を昇降させる昇降支柱の支持構造、及び、該支持構造を備えた昇降支柱に関する。
【背景技術】
【０００２】
従来から、什器としては、固定体と固定体に対して可動する可動体とで構成し、昇降支柱よって固定体に対して可動体を昇降可能に支持する構造を有するものが様々用いられている。具体的には、病院や介護施設等で病室を回診する際に利用されるカートやテーブルでは、走行用のタイヤが取り付けられた基部を含む固定体に対して、天板を可動体として、外杆材と外杆材に対して進退可能な内杆材とで構成した昇降支柱で支持した構造が用いられている。このような構造とすることで、固定体に対して可動体である天板を昇降させることで所望の高さに設定することが可能となる。このため、近年カルテの電子化に伴って回診時に情報端末を利用する機会が増えているが、当該情報端末をカートの天板上にて、操作者の体格に合わせて最適な高さとして利用することが可能となる（例えば、特許文献１、２参照）。
【特許文献１】特開２００７−１６７３７１号公報
【特許文献２】特開２００５−３４６０７号公報
【発明の開示】
【発明が解決しようとする課題】
【０００３】
しかしながら、特許文献１、２のような什器によれば、昇降支柱は、外杆材と内杆材との互いに相対移動可能な二部材で構成されていることから、一部材で構成されている支持柱と比較して安定性で劣っており改善が求められていた。一端が固定体に固定された部材の他端を外杆材に溶接して固定することにより補強することも考えられるが、昇降支柱自体に直接加工を施さなければならず、加工工数及びコストが増大してしまう問題があった。
【０００４】
この発明は、上述した事情に鑑みてなされたものであって、固定体に対して可動体を昇降可能としつつ安定的に支持することが可能であるとともに、加工工数及びコストを抑えて固定体に対して連結することが可能な昇降支柱の支持構造、及び、昇降支柱を提供するものである。
【課題を解決するための手段】
【０００５】
上記課題を解決するために、この発明は以下の手段を提案している。
本発明の昇降支柱の支持構造は、什器の固定体から立設される略管状の外杆材と、該外杆材に上下に進退可能に挿入されて上端部に前記固定体に対して昇降する前記什器の可動体が固定された内杆材とを有する昇降支柱を、前記固定体に固定する昇降支柱の支持構造であって、挿通孔を有する略管状で、該挿通孔に前記内杆材が摺動可能に挿通されているとともに、前記外杆材の上端部の少なくとも一部が嵌合されている嵌合溝が形成された保持部と、該保持部から外周側に突出して設けられ、前記固定体に連結された被固定部とを備えることを特徴としている。
【０００６】
この発明に係る昇降支柱の支持構造によれば、保持部に形成された嵌合溝が外杆材の上端部に嵌合されているとともに、保持部から突出した被固定部が固定体に連結されていることで、外杆材を固定体に固定することができる。ここで、外杆材は、固定体から立設されつつ、保持部及び被固定部によって上端部で固定体に固定されていることで、固定体に対して確実に支持された状態とすることができる。また、内杆材が保持部の挿通孔に摺動可能に挿通されていることで、外杆材に対して内杆材を、保持部を介して上下に進退可能としつつ確実に支持された状態とすることができ、内杆材と外杆材とを有する昇降支柱全体を安定的に支持することができる。また、上記のとおり、外杆材の上端部に保持部に形成された嵌合溝を嵌合するとともに、挿通孔に内杆材を挿入し、この状態で被固定部を固定体に連結するだけであるので、昇降支柱自体に直接加工を施す必要がなく、加工工数及びコストの低減を図ることができる。
【０００７】
また、上記の昇降支柱の支持構造において、前記保持部の前記挿通孔が断面非円形状に形成されており、該挿通孔には対応する断面形状で前記内杆材が摺動可能に挿通されていることがより好ましい。
【０００８】
この発明に係る昇降支柱の支持構造によれば、保持部の挿通孔と、内杆材との断面形状が対応して非円形状とされていることで、保持部に対して内杆材が軸回りに回転してしまうことがなく、外杆材に固定された保持部に対して、内杆材の軸回りの向き、すなわち内杆材の上端に固定された天板の向きを容易に一定として取り付けることができる。
【０００９】
また、上記の昇降支柱の支持構造において、前記保持部は、略管状の本体部材と、該本体部材よりも摩擦係数の小さな材質で形成され、前記内杆材の外周面に摺動可能に当接するスライダとを有することがより好ましい。
【００１０】
この発明に係る昇降支柱の支持構造によれば、保持部が本体部材と本体部材よりも摩擦係数の小さな材質で形成されたスライダとを有することで、本体部材によって保持部全体の剛性を確保しつつ、内杆材の外周面に摺動可能に当接するスライダによって内杆材を円滑に上下に進退して天板を昇降させることができる。
【００１１】
また、上記の昇降支柱の支持構造において、前記被固定部は、前記保持部の外周面から下方に向かうように突出した下向き片を有し、該下向き片と前記保持部の外周面とにより前記嵌合溝が形成されていることがより好ましい。
【００１２】
この発明に係る昇降支柱の支持構造によれば、保持部の外周面と被固定部の下向き片とによって嵌合溝を形成することで、保持部自身を外杆材に嵌合させつつ、嵌合溝に外杆材を嵌合させることができるので、保持部を外杆材により強固に固定することができ、これにより固定体に対してより安定的に外杆材を支持することができる。
【００１３】
また、上記の昇降支柱の支持構造において、前記被固定部が凹状に形成された凹状部を有するとともに、前記固定体の前記被固定部と固定される部分には、前記凹状部と対応する凸状に形成された凸状部が形成されており、前記被固定部は、前記凹状部と前記凸状部とが嵌合して前記固定体に固定されていることがより好ましい。
【００１４】
この発明に係る昇降支柱の支持構造によれば、被固定部が凹状部を有し、固定体に対応して凸状部が形成され、両者が嵌合していることで、固定体に対して被固定部を確実固定することができ、これにより被固定部及び保持部を介して外杆材をより安定的に支持することができる。
【００１５】
また、本発明の昇降支柱は、上記の昇降支柱の支持構造を備えることを特徴としている。
【００１６】
この発明に係る昇降支柱によれば、上記支持構造を備えることで、可動体を安定的に昇降させ、使用可能とすることができる。また、固定体に固定する際の加工工数、コストを低減させることができる。
【００１７】
また、上記の昇降支柱において、前記内杆材が略管状に形成されていて、該内杆材の内部に、前記外杆材に対して前記内杆材を上下に進退させる昇降機構が内蔵されていることがより好ましい。
【００１８】
この発明に係る昇降支柱によれば、昇降機構が内杆材に内蔵されていることで、全体としてコンパクトな構成として省スペース化を図ることができるとともに、昇降機構が外部に露呈することなく、体裁を良好なものとすることができる。
【発明の効果】
【００１９】
本発明の昇降支柱の支持構造によれば、保持部と被嵌合部とを備えることで、固定体に対して可動体を昇降可能としつつ安定的に支持することが可能であるとともに、加工工数及びコストを抑えて固定体に対して連結することができる。
【発明を実施するための最良の形態】
【００２０】
図１から図１０は、この発明に係る実施形態を示している。図１から図４に示すように、本実施形態の什器として示すカート１は、例えば、病院や介護施設等で病室を回診する際などに利用されるものであり、床Ｆ上を走行可能な走行手段であるキャスター２が設けられた基部３と、基部３の上方に配置された天板４と、天板４の下方に配置された平面視略環状の把持部５と、把持部５と基部３との間に設けられて物品を収納するトレー６と、基部３に対して天板４、把持部５及びトレー６を支持する支持手段１０とを備える。基部３は、前後方向Ｘに配設された一対の主部材７と、一対の主部材７を前後方向Ｘに直交する左右方向Ｙに連結する連結部材８とを有する。キャスター２は、各主部材７の下面において、前後方向Ｘの前端部７ａ及び後端部７ｂに設けられて、方向を自在に設定することが可能となっている。また、連結部材８は、主部材７において、前後方向Ｘの後端部７ｂ側で連結されている。
【００２１】
また、天板４は、本実施形態では、物品として情報端末などの電子機器が載置可能な大きさのものであり、略矩形状に形成されている。前縁４ａは、載置された電子機器を操作する際の操作者の手を配置するために傾斜して形成されているとともに、後縁４ｂ並びに、両側縁４ｃの後側には、天板４上に載置された電子機器等の脱落防止手段として凸部４ｄが延設されている。また、把持部５は、把持可能に、すなわち、操作者の操作する手を挿入することが可能な間隔Ｓを天板４との間に有して配置されている。また、把持部５は、天板４と対応する形状で、すなわち本実施形態では略矩形枠状であり、平面視して天板４の外縁となる前縁４ａ、後縁４ｂ及び側縁４ｃに沿って配設されている。
【００２２】
支持手段１０は、基部３と把持部５との間に取り付けられて、把持部５を支持する支持杆１１と、把持部５の内部を通して基部３と天板４との間に取り付けられて、天板４を昇降可能に支持する昇降支柱１２と、昇降支柱１２と把持部５とを連結する連結杆１３とを有する。支持杆１１は、左右方向Ｙに対向して対をなして設けられ、それぞれ基部３の主部材７上において、前後方向Ｘの略中間位置で上下方向Ｚに立設されているとともに、上部において前後方向Ｘ後側に屈曲する屈曲部１１ａを有し、把持部５の側部５ａにおいて、前後方向Ｘの後部位置で下面に取り付けられている。また、支持杆１１の間には、各トレー６が固定されていて、物品を収納可能となっている。
【００２３】
昇降支柱１２は、基部３の連結部材８上において、左右方向Ｙの略中間位置で上下方向Ｚに立設されている。ここで、昇降支柱１２は、支持する天板４を可動体１ａとして、基部３及び把持部５を固定体１ｂとして、固定体１ｂに対して可動体１ａを昇降させる昇降支柱として構成されるものであり、該連結部材８に下端が固定された略管状の外杆材１５と、外杆材１５に上下方向Ｚに進退可能に挿入されて上端部に天板４が固定された略管状の内杆材１６と、内杆材１６に内蔵されて外杆材１５に対して内杆材１６を昇降させる昇降機構１７とを備える。昇降機構１７は、内杆材１６の内部に配設されて、上端が天板４に固定されているとともに、図示しないが下端が基部３の連結部材８に固定されたガススプリング１７ａと、天板４の裏面側に取り付けられた操作部１７ｂとを有する。そして、操作部１７ｂの操作、または、下方に負荷を与えることによりガススプリング１７ａを伸張、または、収縮させて、外杆材１５に対して、内杆材１６及び内杆材１６の上端に固定された天板４を昇降させることが可能となっている。
【００２４】
また、昇降支柱１２は、支持構造２０により、外杆材１５が、固定体１ｂとなる基部３及び把持部５に固定されているとともに、内杆材１６が、外杆材１５に対して進退可能に支持されている。具体的には、支持構造２０は、外杆材１５の下端に設けられて連結部材８と図示しない固定用ネジにより固定された下側固定部２０ａと、外杆材１５の上端に設けられて保持部材２１により連結杆１３と固定された上側固定部２０ｂとを有する。
【００２５】
図５から図１０に示すように、上側固定部２０ｂの保持部材２１は、内杆材１６が挿通された挿通孔２２ａを有する略管状の保持部２２と、保持部２２から外周側に突出して設けられて連結杆１３と連結された被固定部２３とを有する。ここで、保持部２２は、略管状の本体部材２４と、本体部材２４の内周面に取り付けられた複数のスライダ２５とを有し、スライダ２５によって挿通孔２２ａの内周面を構成している。本体部材２４は、例えば、樹脂などで形成されていて、外杆材１５に挿入され嵌合された筒状部２４ａと、筒状部２４ａの上端に外周側に張り出すように設けられ外杆材１５の上端が当接した外フランジ部２４ｂと、外フランジ部２４ｂと反対側の内周側に張り出すように設けられた内フランジ部２４ｃとを有する。また、被固定部２３は、筒状部２４ａの外周面から下方に向かって突出する下向き片２３ａにより構成されており、下向き片２３ａと筒状部２４ａの外周面とにより下方に開口する嵌合溝２２ｂが形成されている。そして、筒状部２４ａが嵌合している外杆材１５の上端の対応する一部が嵌合溝２２ｂに嵌合されている。すなわち、本体部材２４は、上記のように外杆材１５に、筒状部２４ａが嵌合され、さらにその上端に外フランジ部２４ｂが当接するとともに嵌合溝２２ｂが嵌合していることで、外杆材１５に固定されている。なお、図５及び図９に示すように、筒状部２４ａの外周面には外周側に突出する係合凸部２４ｄが上下方向Ｚに沿って形成されているとともに、外杆材１５の内周面には係合凸部２４ｄと対応した係合溝１５ａが上下方向Ｚに沿って形成され、互いに係合している。このため、本体部材２４は、筒状部２４ａが外杆材１５に嵌合した状態では軸回りに位置決めされ、向きが一定となるように設定されている。
【００２６】
また、図５から図１０に示すように、下向き片２３ａは、下方に傾斜した状態から次第に径方向外周側に沿うように突出して、上面が全体として凹状の曲面を呈する凹状部２３ｂを構成している。一方、対応する連結杆１３は、凹状部２３ｂと対応して、対向する面が全体として凸状の曲面を呈する凸状部１３ａを構成している。そして、凹状部２３ｂと凸状部１３ａとが互いに嵌合するとともに、凹状部２３ｂに形成された貫通孔２３ｃを通して連結杆１３に形成されたネジ孔１３ｂに固定用ネジ２３ｄを螺合して締め付けることで連結杆１３と下向き片２３ａとは固定されており、これにより外杆材１５の上端部は連結杆１３に支持されている。
【００２７】
また、スライダ２５は、略板状の部材で、表面に複数の略半球状の当接部２５ａが突出して設けられており、上側が内フランジ部２４ｃにより係止され、また、下側が筒状部２４ａから突出する下側係止片２４ｅにより係止され、さらに、側縁が筒状部２４ａの内周面から突出し上下方向Ｚに沿って設けられた側縁係止片２４ｆにより係止されて、本体部材２４と一体となっている。また、スライダ２５は、本実施形態では、四つ設けられ、本体部材２４の内周面に矩形状に配列している。このため、スライダ２５によって挿通孔２２ａの内周面が構成されて断面が非円形状となる略矩形状に形成されており、当該挿通孔２２ａに挿通された内杆材１６も対応した略矩形状に形成されて、各スライダ２５の各当接部２５ａに当接して摺動可能となっている。また、スライダ２５を形成する材質は、本体部材２４と比較して摩擦係数の小さな樹脂、例えばポリアセタール樹脂などで形成されている。
【００２８】
次に、この実施形態のカート１の作用について説明する。
上記のとおり、本実施形態のカート１では、天板４が昇降支柱１２によって支持されているので、昇降支柱１２において、昇降機構１７によって外杆材１５に対して内杆材１６を上下方向Ｚに進退させることで、固定体１ｂである基部３及び把持部５に対して、可動体１ａである天板４を昇降させて使用に適した高さに設定することができる。ここで、昇降機構１７が内杆材１６に内蔵されていることで、全体としてコンパクトな構造として省スペース化を図ることができるとともに、昇降機構１７が外部に露呈することなく、体裁を良好なものとすることができる。
【００２９】
そして、本実施形態では、外杆材１５がネジ固定による下側固定部２０ａと、保持部材２１による上側固定部２０ｂとで構成される支持構造２０により下端のみならず上端でも固定されていることで、昇降支柱１２を強固に固定されるものとし、可動体１ａである天板４を安定的に昇降させ、また、利用することができる。ここで、上側固定部２０ｂを構成する保持部材２１が保持部２２と被固定部２３とを備え、保持部２２に形成された嵌合溝２２ｂが外杆材１５の上端部に嵌合されているとともに、保持部２２から突出した被固定部２３が連結杆１３に連結されていることで、外杆材１５を連結杆１３を含む固定体１ｂに強固に固定することができる。また、内杆材１６が保持部２２の挿通孔２２ａに摺動可能に挿通されていることで、外杆材１５に対して内杆材１６を、保持部２２を介して上下に進退可能としつつ確実に支持された状態とすることができ、内杆材１６と外杆材１５とを有する昇降支柱全体を安定的に支持することができる。
【００３０】
さらに、保持部２２の外周面と被固定部２３の下向き片２３ａとによって嵌合溝２２ｂを形成することで、保持部２２自身を外杆材１５に嵌合させつつ、嵌合溝２２ｂに外杆材１５を嵌合させることができるので、保持部２２を外杆材１５により強固に固定することができ、これにより固定体１ｂに対してより安定的に外杆材１５を支持することができる。また、被固定部２３が凹状部２３ｂを有し、固定体１ｂを構成する連結杆１３に、対応して凸状部１３ａが形成され、両者が嵌合していることで、固定体１ｂに対して被固定部２３を確実固定することができ、これにより被固定部２３及び保持部２２を介して外杆材１５をより安定的に支持することができる。また、上記のとおり、外杆材１５の上端部に保持部２２に形成された嵌合溝２２ｂを嵌合するとともに、挿通孔２２ａに内杆材１６を挿入し、この状態で被固定部２３を固定体１ｂの連結杆１３に連結するだけであるので、昇降支柱１２自体に直接加工を施す必要がなく、加工工数及びコストの低減を図ることができる。
【００３１】
また、保持部２２の挿通孔２２ａと内杆材１６との断面形状がそれぞれ対応して非円形の略矩形状とされていることで、保持部２２に対して内杆材１６が軸回りに回転してしまうことがなく、外杆材１５に固定された保持部２２に対して、内杆材１６の軸回りの向き、すなわち内杆材１６の上端に固定された天板４の向きを容易に一定として取り付けることができる。さらに、保持部２２が、本体部材２４と、本体部材２４よりも摩擦係数の小さな材質で形成されたスライダ２５とを有することで、本体部材２４によって保持部２２全体の剛性を確保しつつ、内杆材１６の外周面に摺動可能に当接するスライダ２５によって内杆材１６を円滑に上下に進退させて天板４を昇降させることができる。
【００３２】
以上、本発明の実施形態について図面を参照して詳述したが、具体的な構成はこの実施形態に限られるものではなく、本発明の要旨を逸脱しない範囲の設計変更等も含まれる。
【００３３】
なお、上記実施形態では、支持構造２０で固定された昇降支柱１２が設けられ、固定体１ｂに対して可動体１ａを昇降可能な什器として、カート１を例に挙げたが、これに限るものではない。様々な什器において、一方を固定体として、他方を可動体として、可動体を上下に昇降する構造において、上記昇降支柱１２を利用し、支持構造２０によって固定体に対して安定的に支持することが可能である。
【図面の簡単な説明】
【００３４】
【図１】本発明の実施形態のカートの全体を示す斜視図である。
【図２】本発明の実施形態のカートの全体を示す正面図である。
【図３】本発明の実施形態のカートの全体を示す側面図である。
【図４】図３の切断線Ａ−Ａでの断面図である。  全体を示す側面図である。
【図５】本発明の実施形態のカートの昇降支柱の支持構造において、上側固定部の詳細を示す一部を破断した側面図である。
【図６】本発明の実施形態のカートの昇降支柱の支持構造において、保持部材の詳細を示す側面図である。
【図７】本発明の実施形態のカートの昇降支柱の支持構造において、保持部材の詳細を示す正面図である。
【図８】本発明の実施形態のカートの昇降支柱の支持構造において、保持部材の詳細を示す上面図である。
【図９】本発明の実施形態のカートの昇降支柱の支持構造において、保持部材の詳細を示す下面図である。
【図１０】図７から図９の切断線Ｂ−Ｂでの断面図である。
【符号の説明】
【００３５】
１  カート
１ａ  可動体
１ｂ  固定体
１２  昇降支柱
１３ａ  凸状部
１５  外杆材
１６  内杆材
１７  昇降機構
２０  支持構造
２２  保持部
２２ａ  挿通孔
２２ｂ  嵌合溝
２３  被固定部
２３ａ  下向き片
２３ｂ  凹状部
２４  本体部材
２５  スライダ
【図１】
2010104572.tif 000003
【図２】
2010104572.tif 000004
【図３】
2010104572.tif 000005
【図４】
2010104572.tif 000006
【図５】
2010104572.tif 000007
【図６】
2010104572.tif 000008
【図７】
2010104572.tif 000009
【図８】
2010104572.tif 000010
【図９】
2010104572.tif 000011
【図１０】
2010104572.tif 000012